(57)【要約】  【課題】  原稿から画像を読み取り，その原稿画像に含まれる文字列画像に応じて画像処理が施された結果を出力する場合に，その文字列画像の処理に必要な辞書情報やプログラム等の処理資源を効率的に活用できること。  【解決手段】  画像処理装置１が各々特定のデータ処理サービスを行う複数の処理サーバ５と通信可能に接続された環境において，画像読取部１２により読み取られた原稿画像データに基づき，原稿画像データに含まれる文字列画像に関する処理内容を決定し，その処理内容を実行可能な処理サーバ５の宛先を検索サーバ２により検索し，検索された宛先に原稿画像データの全部若しくは一部又はそこから抽出した文字列情報を送信してそのデータ処理サービスを要求し，要求した宛先からデータ処理サービスの結果を取得し，取得されたデータ処理サービスの結果を画像処理装置１の出力部１８により出力する。【選択図】図２
2005332062.tif 000002
【特許請求の範囲】
【請求項１】
原稿から画像を読み取る画像読取り手段及び該画像読取り手段により読み取られた画像について画像処理を施した結果を出力する画像処理結果出力手段を備え，各々特定のデータ処理サービスを行う複数のデータ処理サービス装置と通信可能に接続された画像処理装置であって，
前記画像読取り手段により原稿から読み取られた原稿画像データに基づいて該原稿画像データに含まれる文字列画像に関する処理内容を決定する原稿文字列処理決定手段と，
前記原稿文字列処理決定手段により決定された前記文字列画像又はそこから抽出した文字列情報の処理内容を実行可能な前記データ処理サービス装置の宛先を検索するサービス宛先検索手段と，
前記サービス宛先検索手段により検索された宛先に前記原稿画像データの全部若しくは一部又はそこから抽出した文字列情報を送信してそのデータ処理サービスを要求する文字列データ処理サービス要求手段と，
前記文字列データ処理サービス要求手段により前記データ処理サービスを要求した宛先から該データ処理サービスの結果を取得する処理結果取得手段と，を具備し，
前記画像処理結果出力手段が，前記処理結果取得手段により取得された前記データ処理サービスの結果を出力してなることを特徴とする画像処理装置。
【請求項２】
前記原稿画像データに含まれる前記文字列画像の言語の種類を判別する原稿言語判別手段を具備し，
前記原稿文字列処理決定手段が，予め設定された設定言語の種類と前記原稿言語判別手段により判別された言語の種類とが異なる場合に，前記原稿画像データに含まれる前記文字列画像又はそこから抽出した文字列情報を前記設定言語に翻訳した文字列情報へ変換する翻訳処理サービスを前記文字列画像に関する処理内容として決定してなる請求項１に記載の画像処理装置。
【請求項３】
前記原稿言語判別手段が，前記原稿画像データから抽出された前記文字列画像を構成する文字画像各々の輪郭形状の特徴及び／又は前記文字列画像を構成する文字画像相互間の相対位置に基づいて言語の種類を判別してなる請求項２に記載の画像処理装置。
【請求項４】
前記文字画像各々の輪郭形状の特徴が，前記文字画像各々の輪郭形状の縦横比である請求項３に記載の画像処理装置。
【請求項５】
前記原稿画像データから抽出された前記文字列画像から単語を識別する単語識別手段を具備し，
前記原稿文字列処理決定手段が，前記単語識別手段の識別結果に基づいて前記文字列画像に含まれる単語の解説情報を得る処理を前記文字列画像に関する処理内容として決定してなる請求項１〜４のいずれかに記載の画像処理装置。
【請求項６】
前記単語識別手段により識別された単語の属する分野を判別する単語分野判別手段を具備し，
前記原稿文字列処理決定手段が，前記単語分野判別手段により判別された分野の単語の解説情報を得る処理を前記文字列画像に関する処理内容として決定してなる請求項５に記載の画像処理装置。
【請求項７】
前記原稿文字列処理決定手段により決定された１又は複数の前記文字列画像に関する処理内容についての情報を提示して利用者に選択させるサービス選択手段を具備し，
前記文字列画像処理要求手段が，前記サービス選択手段による前記文字列画像に関する処理内容の選択があった場合にその処理内容を実行可能な前記データ処理サービス装置の宛先に前記文字列画像又はそこから抽出した文字列情報についてのデータ処理サービスを要求してなる請求項１〜６のいずれかに記載の画像処理装置。
【請求項８】
原稿から画像を読み取る画像読取り手段及び該画像読取り手段により読み取られた画像について画像処理を施した結果を出力する画像処理結果出力手段を備える１又は複数の画像処理装置と，該画像処理装置と通信可能な情報処理装置と，を具備し，各々特定のデータ処理サービスを行う複数のデータ処理サービス装置と通信可能な画像処理システムであって，
前記画像処理装置又は前記情報処理装置に設けられ，前記画像読取り手段により原稿から読み取られた原稿画像データに基づいて該原稿画像データに含まれる文字列画像に関する処理内容を決定する原稿文字列処理決定手段と，
前記情報処理装置に設けられ，前記原稿文字列処理決定手段により決定された前記文字列画像に関する処理内容を実行可能な前記データ処理サービス装置の宛先を検索するサービス宛先検索手段と，
前記画像処理装置又は前記情報処理装置に設けられ，前記サービス宛先検索手段により検索された宛先に前記原稿画像データの全部若しくは一部又はそこから抽出した文字列情報を送信してそのデータ処理サービスを要求する文字列データ処理サービス要求手段と，
前記画像処理装置又は前記情報処理装置に設けられ，前記文字列データ処理サービス要求手段により前記データ処理サービスを要求した宛先から該データ処理サービスの結果を取得する処理結果取得手段と，を具備し，
前記画像処理装置における前記画像処理結果出力手段が，前記処理結果取得手段により取得された前記データ処理サービスの結果を出力してなることを特徴とする画像処理システム。
【請求項９】
原稿から画像を読み取る画像読取り手段及び該画像読取り手段により読み取られた画像について画像処理を施した結果を出力する画像処理結果出力手段を備え，各々特定のデータ処理サービスを行う複数のデータ処理サービス装置と通信可能に接続された画像処理装置を用いた画像処理方法であって，
前記画像読取り手段により原稿から読み取られた原稿画像データに基づいて該原稿画像データに含まれる文字列画像に関する処理内容を決定する原稿文字列処理決定処理と，
前記原稿文字列処理決定処理により決定された前記文字列画像に関する処理内容を実行可能な前記データ処理サービス装置の宛先を検索するサービス宛先検索処理と，
前記サービス宛先検索処理により検索された宛先に前記原稿画像データの全部若しくは一部又はそこから抽出した文字列情報を送信してそのデータ処理サービスを要求する文字列データ処理サービス要求処理と，
前記文字列データ処理サービス要求処理により前記データ処理サービスを要求した宛先から該データ処理サービスの結果を取得する処理結果取得処理と，
前記処理結果取得処理により取得された前記データ処理サービスの処理結果を前記画像処理結果出力手段により出力する画像処理結果出力処理と，
を有してなることを特徴とする画像処理方法。
【請求項１０】
原稿から画像を読み取る画像読取り手段及び該画像読取り手段により読み取られた画像について画像処理を施した結果を出力する画像処理結果出力手段を備える画像処理装置と，該画像処理装置と通信可能な情報処理装置と，を具備し，各々特定のデータ処理サービスを行う複数のデータ処理サービス装置と通信可能な画像処理システムにおける画像処理方法であって，
前記画像処理装置又は前記情報処理装置において，前記画像読取り手段により原稿から読み取られた原稿画像データに基づいて該原稿画像データに含まれる文字列画像に関する処理内容を決定する原稿文字列処理決定処理と，
前記情報処理装置において，前記原稿文字列処理決定処理により決定された前記文字列画像に関する処理内容を実行可能な前記データ処理サービス装置の宛先を検索するサービス宛先検索処理と，
前記画像処理装置又は前記情報処理装置において，前記サービス宛先検索処理により検索された宛先に前記原稿画像データの全部若しくは一部又はそこから抽出した文字列情報を送信してそのデータ処理サービスを要求する文字列データ処理サービス要求処理と，
前記画像処理装置又は前記情報処理装置において，前記文字列データ処理サービス要求処理により前記データ処理サービスを要求した宛先から該データ処理サービスの結果を取得する処理結果取得処理と，
前記処理結果取得処理により取得された前記データ処理サービスの結果を前記画像処理結果出力手段により出力する画像処理結果出力処理と，
を有してなることを特徴とする画像処理方法。
【請求項１１】
請求項９又は１０に記載の画像処理方法における各処理をコンピュータに実行させるための画像処理プログラム。
【請求項１２】
請求項１１に記載の画像処理プログラムが記録されたコンピュータ読み取り可能な記録媒体。
【発明の詳細な説明】
【技術分野】
【０００１】
本発明は，原稿から画像を読み取り，その原稿画像に含まれる文字列画像に応じて画像処理が施された結果を出力する画像処理装置，画像処理システム，画像処理方法，画像処理プログラム及びその画像処理プログラムが記録されたコンピュータ読み取り可能な記録媒体に関するものである。
【背景技術】
【０００２】
従来，複写機，スキャナ装置，ファクシミリ装置若しくはそれらの複合機等の画像処理装置又はそれを構成要素とする画像処理システムにおいては，原稿から画像を読み取り，その原稿画像に各種処理を施した画像処理結果を，記録紙等への画像形成や，他の画像処理装置や情報処理装置への送信等により出力するものがある。
一方，特許文献１には，パソコン等の汎用情報処理装置からなる翻訳クライアント装置と翻訳サーバとを用いた汎用ネットワーク翻訳システムとして，翻訳サーバが複数の専門辞書を保有し，翻訳サーバ及びそれが保有する辞書を複数の翻訳クライアント装置で共用するものが示されている。
ところで，画像処理装置で読み取り対象となる原稿には，文字列画像が含まれていることが多く，このような文字列画像について，例えば，特許文献１に示されるような翻訳処理等の処理を行った結果を出力できれば利便性の高い画像処理装置とすることができる。
特許文献１に示される技術を画像処理システムに適用した場合，原稿から読み取った原稿画像からそこに含まれる文字列情報を抽出し，抽出した文字列情報について前記翻訳サーバにより翻訳処理を施すことになる。また，翻訳に限らず，例えば，文字列情報に含まれる専門用語の解説情報を出力すること等も考えられる。
【特許文献１】特開２０００−２５９６３３号公報
【発明の開示】
【発明が解決しようとする課題】
【０００３】
しかしながら，特許文献１に示される技術を画像処理システムに適用した場合，画像処理装置とネットワーク接続されているサーバに，抽出した文字列情報を処理（翻訳処理等）する処理部が設けられるので，画像処理装置に予めアクセス先として設定されたサーバ（ＬＡＮ内のサーバ等）ごとに，様々な言語や分野に対応する翻訳辞書や専門用語の解説辞書やそれを用いる処理プログラム等を記憶した処理資源を設ける必要がある。このため，より多くの言語や分野の原稿に対応するためには，画像処理装置に予めアクセス先として設定されたサーバごとに大容量の記憶手段等が必要となり，処理資源の活用効率が悪いという問題点があった。特に，使用頻度が低い言語や分野に対応する辞書情報やプログラム等の処理資源を，画像処理装置に既定のアクセス先のサーバごとに記憶させておくことは非常に効率が悪い。
従って，本発明は上記事情に鑑みてなされたものであり，その目的とするところは，原稿から画像を読み取り，その原稿画像に含まれる文字列画像に応じて画像処理が施された結果を出力する場合に，その文字列画像の処理に必要な辞書情報やプログラム等の処理資源を効率的に活用できる画像処理装置，画像処理システム，画像処理方法，画像処理プログラム及びその画像処理プログラムが記録されたコンピュータ読み取り可能な記録媒体を提供することにある。
【課題を解決するための手段】
【０００４】
上記目的を達成するために本発明は，原稿から画像を読み取る画像読取り手段及び該画像読取り手段により読み取られた画像について画像処理を施した結果を出力する画像処理結果出力手段を備え，各々特定のデータ処理サービスを行う複数のデータ処理サービス装置と通信可能に接続された画像処理装置であって，
前記画像読取り手段により原稿から読み取られた原稿画像データに基づいて該原稿画像データに含まれる文字列画像に関する処理内容を決定する原稿文字列処理決定手段と，
前記原稿文字列処理決定手段により決定された前記文字列画像又はそこから抽出した文字列情報の処理内容を実行可能な前記データ処理サービス装置の宛先を検索するサービス宛先検索手段と，
前記サービス宛先検索手段により検索された宛先に前記原稿画像データの全部若しくは一部又はそこから抽出した文字列情報を送信してそのデータ処理サービスを要求する文字列データ処理サービス要求手段と，
前記文字列データ処理サービス要求手段により前記データ処理サービスを要求した宛先から該データ処理サービスの結果を取得する処理結果取得手段と，を具備し，前記画像処理結果出力手段が，前記処理結果取得手段により取得された前記データ処理サービスの結果を出力してなることを特徴とする画像処理装置として構成されるものである。
このような構成により，原稿画像に含まれる文字列画像の処理に必要な辞書情報やプログラム等の処理資源を画像処理装置ごとに設ける必要がなく，当該画像処理装置は，前記サービス宛先検索手段により検索された宛先に文字列画像についての翻訳や解説等のデータ処理サービスを依頼することにより，必要なデータ処理サービスを受けることが可能となる。その結果，インターネット等に接続されて通信可能な世界各地に存在する前記データ処理サービス装置が備える字列画像の処理に必要な辞書情報やプログラム等の処理資源を効率的に活用できる。
【０００５】
より具体的には，前記原稿画像データに含まれる前記文字列画像の言語の種類を判別する原稿言語判別手段を具備し，前記原稿文字列処理決定手段が，予め設定された設定言語の種類と前記原稿言語判別手段により判別された言語の種類とが異なる場合に，前記原稿画像データに含まれる前記文字列画像又はそこから抽出した文字列情報を前記設定言語に翻訳した文字列情報へ変換する翻訳処理サービスを前記文字列画像に関する処理内容として決定するものが考えられる。
これにより，当該画像処理装置に，その利用者の常用言語が予め設定されている場合に，それ以外の言語の文字列画像を含む原稿について，翻訳処理した結果を前記データ処理サービス装置から得て出力することが可能となる。
この場合，前記原稿言語判別手段が，前記原稿画像データから抽出された前記文字列画像を構成する文字画像各々の輪郭形状の特徴及び／又は前記文字列画像を構成する文字画像相互間の相対位置に基づいて言語の種類を判別するものが考えられる。ここで，前記文字画像各々の輪郭形状の特徴としては，前記文字画像各々の輪郭形状の縦横比等が考えられる。
これにより，簡易な処理により言語の判別が可能となる。
【０００６】
また，前記原稿画像データから抽出された前記文字列画像から単語を識別する単語識別手段を具備し，前記原稿文字列処理決定手段が，前記単語識別手段の識別結果に基づいて前記文字列画像に含まれる単語の解説情報を得る処理を前記文字列画像に関する処理内容として決定するものが考えられる。
この場合，前記単語識別手段により識別された単語の属する分野を判別する単語分野判別手段を具備し，前記原稿文字列処理決定手段が，前記単語分野判別手段により判別された分野の単語の解説情報を得る処理を前記文字列画像に関する処理内容として決定するものが考えられる。
これにより，当該画像処理装置が識別できない単語（当該画像処理装置が対応していない専門分野の単語等）が原稿の文字列画像に含まれる場合であっても，その単語の解説情報を前記データ処理サービス装置から得て出力することが可能となる。
これら，前記データ処理サービス装置から得たデータ処理サービスの結果の出力形態としては，例えば，複写機の要領で，原稿画像を読み取り後に，記録紙等への画像形成出力を行うことや，ファクシミリ装置やスキャナ装置の要領で，原稿画像の読み取り後に，他の画像処理装置や情報処理装置へ画像データや電子メールデータとして送信（出力）すること等が考えられる。
【０００７】
また，前記原稿文字列処理決定手段により決定された１又は複数の前記文字列画像に関する処理内容についての情報を提示して利用者に選択させるサービス選択手段を具備し，前記文字列画像処理要求手段が，前記サービス選択手段による前記文字列画像に関する処理内容の選択があった場合にその処理内容を実行可能な前記データ処理サービス装置の宛先に前記文字列画像又はそこから抽出した文字列情報についてのデータ処理サービスを要求するものが考えられる。
これにより，利用者が希望（選択）した場合にのみ，希望（選択）した処理のサービスを提供することができる。
【０００８】
また，本発明は，上述した画像処理装置における前記サービス宛先検索手段  を，画像処理装置と通信可能な情報処理装置に設けた画像処理システムとして捉えることもできる。
即ち，原稿から画像を読み取る画像読取り手段及び該画像読取り手段により読み取られた画像について画像処理を施した結果を出力する画像処理結果出力手段を備える１又は複数の画像処理装置と，該画像処理装置と通信可能な情報処理装置と，を具備し，各々特定のデータ処理サービスを行う複数のデータ処理サービス装置と通信可能な画像処理システムであって，
前記画像処理装置又は前記情報処理装置に設けられ，前記画像読取り手段により原稿から読み取られた原稿画像データに基づいて該原稿画像データに含まれる文字列画像に関する処理内容を決定する原稿文字列処理決定手段と，
前記情報処理装置に設けられ，前記原稿文字列処理決定手段により決定された前記文字列画像に関する処理内容を実行可能な前記データ処理サービス装置の宛先を検索するサービス宛先検索手段と，
前記画像処理装置又は前記情報処理装置に設けられ，前記サービス宛先検索手段により検索された宛先に前記原稿画像データの全部若しくは一部又はそこから抽出した文字列情報を送信してそのデータ処理サービスを要求する文字列データ処理サービス要求手段と，
前記画像処理装置又は前記情報処理装置に設けられ，前記文字列データ処理サービス要求手段により前記データ処理サービスを要求した宛先から該データ処理サービスの結果を取得する処理結果取得手段と，を具備し，
前記画像処理装置における前記画像処理結果出力手段が，前記処理結果取得手段により取得された前記データ処理サービスの結果を出力してなることを特徴とする画像処理装置システムとして構成されるものである。
これにより，前記サービス宛先検索手段を画像処理装置ごとに設ける必要がなく，より効率的なシステムを構成できる。
【０００９】
同様に，本発明は，前記画像処理装置における各手段による処理を行う画像処理方法として捉えることもできる。
即ち，原稿から画像を読み取る画像読取り手段及び該画像読取り手段により読み取られた画像について画像処理を施した結果を出力する画像処理結果出力手段を備え，各々特定のデータ処理サービスを行う複数のデータ処理サービス装置と通信可能に接続された画像処理装置を用いた画像処理方法であって，
前記画像読取り手段により原稿から読み取られた原稿画像データに基づいて該原稿画像データに含まれる文字列画像に関する処理内容を決定する原稿文字列処理決定処理と，
前記原稿文字列処理決定処理により決定された前記文字列画像に関する処理内容を実行可能な前記データ処理サービス装置の宛先を検索するサービス宛先検索処理と，
前記サービス宛先検索処理により検索された宛先に前記原稿画像データの全部若しくは一部又はそこから抽出した文字列情報を送信してそのデータ処理サービスを要求する文字列データ処理サービス要求処理と，
前記文字列データ処理サービス要求処理により前記データ処理サービスを要求した宛先から該データ処理サービスの結果を取得する処理結果取得処理と，
前記処理結果取得処理により取得された前記データ処理サービスの処理結果を前記画像処理結果出力手段により出力する画像処理結果出力処理と，を有してなることを特徴とする画像処理方法である。
【００１０】
同様に，本発明は，前記画像処理システムにおける各手段による処理を行う画像処理方法として捉えることもできる。
即ち，原稿から画像を読み取る画像読取り手段及び該画像読取り手段により読み取られた画像について画像処理を施した結果を出力する画像処理結果出力手段を備える画像処理装置と，該画像処理装置と通信可能な情報処理装置と，を具備し，各々特定のデータ処理サービスを行う複数のデータ処理サービス装置と通信可能な画像処理システムにおける画像処理方法であって，
前記画像処理装置又は前記情報処理装置において，前記画像読取り手段により原稿から読み取られた原稿画像データに基づいて該原稿画像データに含まれる文字列画像に関する処理内容を決定する原稿文字列処理決定処理と，
前記情報処理装置において，前記原稿文字列処理決定処理により決定された前記文字列画像に関する処理内容を実行可能な前記データ処理サービス装置の宛先を検索するサービス宛先検索処理と，
前記画像処理装置又は前記情報処理装置において，前記サービス宛先検索処理により検索された宛先に前記原稿画像データの全部若しくは一部又はそこから抽出した文字列情報を送信してそのデータ処理サービスを要求する文字列データ処理サービス要求処理と，
前記画像処理装置又は前記情報処理装置において，前記文字列データ処理サービス要求処理により前記データ処理サービスを要求した宛先から該データ処理サービスの結果を取得する処理結果取得処理と，
前記処理結果取得処理により取得された前記データ処理サービスの結果を前記画像処理結果出力手段により出力する画像処理結果出力処理と，を有してなることを特徴とする画像処理方法である。
さらに，本発明は，前記画像処理方法各々における各処理をコンピュータに実行させるための画像処理プログラムとして，或いはその画像処理プログラムが記録されたコンピュータ読み取り可能な記録媒体として捉えたものであってもよい。
【発明の効果】
【００１１】
本発明によれば，画像処理装置が各々特定のデータ処理サービスを行う複数のデータ処理サービス装置と通信可能に接続された環境において，画像読取り手段により原稿から読み取られた原稿画像データに基づいて該原稿画像データに含まれる文字列画像に関する処理内容を決定し，決定された前記文字列画像に関する処理内容を実行可能な前記データ処理サービス装置の宛先を検索し，検索された宛先に前記原稿画像データの全部若しくは一部又はそこから抽出した文字列情報を送信してそのデータ処理サービスを要求し，要求した宛先から前記データ処理サービスの結果を取得し，取得された前記データ処理サービスの結果を出力するので，原稿画像に含まれる文字列画像の処理に必要な辞書情報やプログラム等の処理資源を画像処理装置ごとに設ける必要がなく，当該画像処理装置は，前記検索により得られた宛先に文字列画像についての翻訳や解説等のデータ処理サービスを依頼することにより，必要な画像処理のサービスを受けることが可能となる。その結果，インターネット等に接続されて通信可能な世界各地に存在する前記データ処理サービス装置が備える字列画像の処理に必要な辞書情報やプログラム等の処理資源を効率的に活用できる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る画像処理システムＸの概略構成を表すシステム構成図，図２は画像処理システムＸ及びこれと通信可能な処理サーバの概略構成を表すブロック図，図３は画像処理システムＸにおけるフォントデータテーブルの概略構成例を表す図，図４は画像処理システムＸにおける言語特定テーブル（言語解析部の判別結果）の内容を表す図，図５は画像処理システムＸにおけるサービス選択画面の一例を表す図，図６は画像処理システムＸにおける検索サーバに記憶される処理検索テーブルのデータ構成の一例を表す図，図７は画像処理システムＸの処理の手順を表すフローチャートである。
【００１３】
図１は，本発明の実施形態に係る画像処理システムＸの概略構成を表すシステム構成図である。
図１に示すように，画像処理システムＸは，複数の画像処理装置１と検索サーバ２とを有し，これらがIEEE802.03規格に準拠した機器及びＴＣＰ／ＩＰプロトコル等に基づくＬＡＮ３及びインターネット４を介して通信可能に接続されている。
さらに，画像処理システムＸは，各々特定のデータ処理サービスを行う複数のデータ処理サービス装置である処理サーバ５（処理サーバＡ，Ｂ，…）とインターネット４（或いは，公衆通信回線等）を介して，前記画像処理装置１及び前記検索サーバ２各々が通信可能に構成されている。
図２は，前記画像処理システムＸ及びこれと通信可能な前記処理サーバ５の概略構成を表すブロック図である。
前記画像処理装置１は，通信部１１，画像読取部１２，言語解析部１３，単語解析部１４，処理決定部１５，処理表示部１６，処理制御部１７，出力部１８及びデータ記憶部１９を具備している。
前記通信部１１は，前記ＬＡＮ３（図２には不図示）及びインターネット４を介した前記検索サーバ２及び前記処理サーバ５との通信制御を行うものである。さらに，前記通信部１１は，前記画像読取部１２により読み取られた原稿画像或いはその原稿画像について画像処理を施した結果を，他の画像処理装置１や不図示のパーソナルコンピュータ等の情報処理装置に対して画像データや電子メールデータとして送信（出力）する処理も実行する（前記画像処理結果出力手段の一例）。
【００１４】
前記画像読取部１２は，例えば原稿に光を照射する光照射手段，原稿からの反射光を導光する光学系及び該光学系により導かれた光を光電変換して原稿の画像データを出力するＣＣＤ等の光電変換手段等を具備し，原稿から画像を読み取るものである（前記画像読取り手段の一例）。
前記処理表示部１６は，例えば液晶パネル等で構成され，利用者に対するメッセージ等の情報を表示するものである。
前記処理制御部１７は，例えばＣＰＵ及びＲＯＭ，ＲＡＮ等のその周辺装置等からなり，前記ＲＯＭに予め記憶された制御プログラムを前記ＣＰＵが実行することにより，当該画像処理装置１の各構成要素を制御するものである。
前記出力部１８は，例えば像を担持する感光体ドラム，これを帯電させる帯電装置，感光体ドラム上に静電潜像を書き込むレーザスキャンユニット，その静電潜像をトナーにより現像する現像装置，そのトナー像を記録紙等に転写する転写装置等からなり，前記画像読取部１１により読み取られた原稿画像或いはその原稿画像について画像処理を施した結果を記録紙等に画像として出力するものである（前記画像処理結果出力手段の一例）。
前記データ記憶部１９は，ハードディスク装置等の記憶手段であり，前記画像読取部１２により読み取られた画像データや，その他の各種データを記憶するものである。
【００１５】
前記言語解析部１３，前記単語解析部１４及び前記処理決定部１５は，ＣＰＵ及び所定のプログラムが記憶されたＲＯＭ，主記憶領域を構成するＲＡＭ等を備える演算手段からなり，前記ＲＯＭに予め記憶されたプログラムを前記ＣＰＵが実行することにより各処理を行うものである。
ここで，前記言語解析部１３は，前記画像読取部１２により読み取られた原稿画像データに含まれる前記文字列画像の言語（の種類）を判別する処理を実行する（前記原稿言語判別手段の一例）。
また，前記単語解析部１４は，前記言語解析部１３により前記原稿画像データから抽出された前記文字列画像から単語を識別する処理を行うものである（前記単語識別手段の一例）。
さらに，前記処理決定部１５は，前記画像読取部１２（前記画像読取り手段の一例）により原稿から読み取られた前記原稿画像データに基づいて，該原稿画像データに含まれる前記文字列画像に関する処理内容を決定するものである（前記原稿文字列処理決定手段の一例）。
これらが実行する具体的処理については，後述する。
【００１６】
一方，前記検索サーバ２は，通信手段を備えた情報処理装置であり，図２に示すように，検索処理部２１，通信部２２及びデータ記憶部２３を具備する。
前記検索処理部２１は，前記画像処理装置１における前記処理決定部１５（前記原稿文字列処理決定手段の一例）により決定された前記文字列画像に関する処理内容を実行可能な前記処理サーバ５（前記データ処理サービス装置の一例）の宛先を検索するものである（前記サービス宛先検索手段の一例）。ここで，前記検索処理部２１は，ＣＰＵ，ＲＯＭ，ＲＡＭ等からなる演算手段を備え，前記ＲＯＭに記憶されるプログラムを実行することにより，上述の検索処理を行う。
前記通信部２２は，IEEE802.03規格に準拠した通信機器及びＴＣＰ／ＩＰプロトコル等に基づき，インターネット４を介して，前記画像処理装置１や前記処理サーバ５との間の通信制御を行うものである。
前記データ記憶部２３は，ハードディスク装置等の記憶手段であり，前記検索処理部２１の処理に必要なデータ等が記憶されるものである。
【００１７】
また，前記処理サーバ５は，前記検索サーバ２と同様に通信手段を備えた情報処理装置であり，インターネット４を介して，前記画像処理装置１や前記検索サーバ２との間の通信制御を行う通信部５３と，ハードディスク等の記憶手段であるデータ記憶部５１とを具備している。
さらに，前記処理サーバ５は，各々特定のデータ処理サービスを行うために必要な構成要素を具備している。
例えば，前記処理サーバ５は，与えられた文字列画像や文字列情報を，指定された言語に翻訳した文字列情報へ変換する翻訳処理サービスを実行するものである場合，翻訳処理部５１を具備し，その翻訳処理に必要な翻訳辞書情報ｄ６を前記データ記憶部５５に保持する。
また，前記処理サーバ５は，与えられた単語の注釈情報を得る前記注釈処理サービスを実行するものである場合，注釈処理部５２を具備し，その注釈処理に必要な注釈辞書情報ｄ７を前記データ記憶部５５に保持する。
さらに，前記処理サーバ５は，新たなデータ処理サービス機能が付加（新たなデータ処理サービスプログラムがインストール）された場合に，当該処理サーバ５のインターネット４を介した通信の宛先情報と，当該処理サーバ５に対しその付加されたサービスを要求するための要求情報の書式等の情報を前記検索サーバ２へ通知する処理を行う機能登録部５４を具備している。
前記翻訳処理部５１，前記注釈処理部５２及び前記機能登録部５４は，ＣＰＵ及び所定のプログラムが記憶されたＲＯＭ，主記憶領域を構成するＲＡＭ等を備える演算手段からなり，前記ＲＯＭや前記データ記憶部５５に予め記憶されたプログラムを前記ＣＰＵが実行することにより，各処理を行うものである。
【００１８】
次に，図７に示すフローチャートを用いて，前記画像処理システムＸの処理の手順について説明する。以下，Ｓ１，Ｓ２，…は，処理手順（ステップ）の識別記号を表す。
まず，前記画像処理装置１において，前記画像読取部１２が備える操作部から原稿読み取り開始操作がなされると，前記画像読取部１２によって原稿から画像（原稿画像データ）が読み取られる（Ｓ１）。
次に，前記画像処理装置１の前記言語解析部１３により，前記画像読取部１２により読み取られた原稿画像データに含まれる前記文字列画像の言語（の種類）を判別する言語解析処理がなされる（Ｓ２，前記原稿言語判別手段の一例）。
より具体的には，前記言語解析部１３は，前記画像読取部１２により読み取られた原稿画像データに周知の文字認識処理を施すことにより，その原稿画像データに含まれる文字列画像が存在する領域を特定し，特定された領域内の画像（文字列画像）からフォント画像（文字画像）を抽出する（以下，これを抽出フォント画像という）。さらに，特定された領域（例えば，１ライン分の文字列の領域）ごとに，その領域に含まれる前記文字列画像が，予め設定された言語（の種類）のいずれである可能性が高いかを後述する３つの指標により得点化して言語（の種類）ごとに加算し，その言語ごとの得点の合計が最も高い言語を特定された領域の（即ち，そこに含まれる前記文字列情報の）言語であると判別する。
ここで，前記得点化は，前記データ記憶部１９に予め記憶されているフォントデータテーブルｄ１を用いて行う。
【００１９】
図３は，前記フォントデータテーブルｄ１の概略構成例を表す図である。
図３に示すように，前記フォントデータテーブルｄ１には，予め設定された言語ごとに，前記抽出フォント画像との形状の一致度合いを照合するための照合用フォント画像情報ｄ１１（例えば，ビットマップ情報），前記抽出フォント画像の輪郭形状の特徴である基準縦横比情報ｄ１２及び前記抽出フォント画像相互間の相対位置（間隔）に関する情報であるフォントピッチ情報ｄ１３（「固定」ピッチであるか「可変」ピッチであるか）が設定されている。さらに，前記照合用フォント画像情報ｄ１１，前記基準縦横比情報ｄ１２及び前記フォントピッチ情報ｄ１３ごとに，得点が予め設定されている。図中，括弧内に示される数字がその得点である。
例えば，図３に示すように，前記照合用フォント画像ｄ１１としては，「あ」や「ア」等の日本語特有のフォント画像が，「日本語」という言語名（言語の種類）に属するよう記憶されている。
また，「日本語」や「中国語」等は，通常，文字の輪郭形状の特徴として，その縦横比がほぼ１：１であるので，それらの言語に属する前記基準縦横比ｄ１２には，「１．０：１．０」が設定されている。同様に「フランス語」については，「０．５×１．０」等と設定されている。
また，「日本語」等は，文字相互間の相対位置関係を表すフォントピッチ（文字間隔）が固定であるのに対し，欧米語ではフォントピッチが可変であることから，このフォントピッチ（「固定」か「可変」か）の設定もなされている。
【００２０】
前記言語解析部１２は，特定されたある領域内における前記抽出フォント画像各々について，前記照合用フォント画像情報ｄ１１各々とのパターンマッチングを行い，予め設定された設定レベル以上の適合度合い（一致度）を有する前記照合用フォント画像情報ｄ１１を探索する。そして，その設定レベル以上の適合度合いを有する前記照合用フォント画像情報ｄ１１が存在した場合には，その照合用フォント画像情報ｄ１に対応する文字（文字コード）を前記抽出フォント画像の文字であると認識する（文字認識）。そして，その文字認識がなされた文字が属する言語について，その照合用フォント画像情報ｄ１１に設定された得点を加算する。
ここで，複数の言語について，前記設定レベル以上の適合度合いで前記照合用フォント画像情報ｄ１に適合した場合，その各々の言語について得点が加算される。一方，１つの言語に属する複数の前記照合用フォント画像と，前記設定レベル以上の適合度合いで一致した場合は，最も適合度合いが高い前記照合用フォント画像の得点のみを加算する。
例えば，図３に示す前記フォントデータテーブルｄ１の例では，前記抽出フォント画像が，パターンマッチングの結果，「あ」という前記参照用フォント画像と前記設定レベル以上の適合度合いで適合した場合，その抽出フォント画像が「あ」という文字であると認識するとともに，言語「日本語」に「５」点が加算される。
【００２１】
さらに，前記言語解析部１２は，特定されたある領域内における前記抽出フォント画像各々について，その輪郭形状の特徴量である縦横比を算出し，さらに，当該特定領域内における前記抽出フォント画像各々についての前記縦横比の平均値を算出する。このようにして算出された前記縦横比の平均値が，前記フォントデータテーブルｄ１における前記基準縦横比情報ｄ１２の値のいずれに最も近い（差が小さい）かを判別し，その最も値の近い前記基準縦横比情報ｄ１２が属する言語について，その基準縦横比情報ｄ１２に設定された得点を加算する。
ここで，前記縦横比の平均値が，複数の言語についての前記基準縦横比情報ｄ１２の値各々と同じ近さ（差が同じ）であった場合，その各々の言語について得点が加算される。
例えば，図３に示す前記フォントデータテーブルｄ１の例では，前記縦横比の平均値が，ほぼ「１．０×１．０」である場合，「日本語」と「中国語」と「ロシア語」の各々に「１０」点が加算される。
【００２２】
また，前記言語解析部１２は，特定されたある領域内における前記抽出フォント画像各々について，その隣の前記抽出フォント画像との（前記抽出フォント画像相互間の）間隔（相対位置）であるフォントピッチ（例えば，前記抽出フォント画像の幅に対する前記間隔の比等で表す）を算出し，さらに，当該特定領域内における前記フォントピッチの分散値を算出する。このようにして算出された前記フォントピッチの分散値が，予め設定されたしきい値以上であるか否かを判別し，前記しきい値以上であれば「可変」ピッチ，そうでなければ「固定」ピッチであると判別し，その判別結果（「固定」か「可変」か）と一致する前記フォントピッチ情報ｄ１３が属する言語について，そのフォントピッチ情報ｄ１３に設定された得点を加算する。この得点加算の方法は，前記縦横比についての得点加算方法と同様である。
例えば，図３に示す前記フォントデータテーブルｄ１の例では，前記フォントピッチの分散値が前記しきい値以上である場合，「可変」ピッチであると判別し，「フランス語」に「３」点が加算される。
また，合計得点が予め設定された基準点を超えている言語が複数ある場合や，合計得点の最も高いものから既定の得点差の範囲内に複数の言語が存在する場合等に，領域の特定を再試行して言語判別をやり直すよう構成されたものも考えられる。
以上のようにして，特定された領域内の前記抽出フォント画像情報各々について上記処理が終了した段階で，最も合計得点が高い言語が，その領域における前記文字列画像の言語（の種類）であると判別し，その判別結果を言語特定テーブルｄ３として前記データ記憶部１９に記憶させる。
図４は，前記データ記憶部１９に記憶される前記言語特定テーブルｄ３（前記言語解析部１３の判別結果）の内容を表すものである。
図４に示すように，前記言語特定テーブルｄ３には，前記原稿画像データにおける領域を表す座標情報ｄ３１とその領域について判別された言語情報（言語の種類）ｄ３２とが対応付けられて記憶される。
このように，前記言語解析部１２（前記原稿言語判別手段の一例）は，前記原稿画像データから抽出された前記文字列画像を構成する文字画像各々について，その輪郭形状の特徴である縦横比と，前記文字列画像を構成する文字画像相互間の相対位置であるフォントピッチとに基づいて言語（の種類）を判別する。もちろん，いずれか一方（縦横比又はフォントピッチ）のみを用いることも考えられる。
【００２３】
次に，前記画像処理装置１の前記処理決定部１５により，前記データ記憶部１９に言語設定情報ｄ２として予め設定されている設定言語（の種類）と，前記言語特定テーブルｄ３に記憶されている各領域の言語，即ち，前記言語解析部１２（前記原稿言語判別手段の一例）により判別された言語（の種類）とが一致するか否かが判別される（Ｓ３）。
ここで，一致すると判別された場合は，前記処理サーバ５に翻訳処理サービスを要求する必要はないと判断され，前記画像処理装置１の処理が後述のステップＳ１１へ移行される。
これに対し，一致しない（異なる）と判別された場合には，前記画像処理装置１の前記処理決定部１５（前記原稿文字列処理決定手段の一例）により，前記原稿画像データに含まれる前記文字列画像から前記言語解析部１３により抽出した文字列情報を前記設定言語に翻訳（即ち，前記言語解析部１２により判別された言語からの翻訳）した文字列情報へ変換する翻訳処理サービスが，前記文字列画像に対する処理内容として決定され，さらに前記処理制御部１７により，前記検索サーバ２に対し，その翻訳処理サービスの実行が可能な前記処理サーバ５の宛先を問い合わせる通知が，前記通信部１１を通じてなされる（Ｓ４）。
【００２４】
一方，前記検索サーバ２では，前記検索処理部２１により，前記画像処理装置１から前記通信部２２を通じて受信された通知に従って，問合せ対象である翻訳処理サービスを実行可能な前記処理サーバ５の宛先の検索がなされる（Ｓ５）。
図６は，前記検索サーバ２が備える前記データ記憶部２３に記憶される処理検索テーブルｄ５のデータ構成の一例である。
前記処理検索テーブルｄ５には，複数の前記処理サーバ５各々が備えるデータ処理機能の種類の識別情報である処理名情報ｄ５１と，そのデータ処理機能の内容を表す機能説明情報ｄ５２，前記処理名情報ｄ５１が前記注釈処理（単語の解説情報を得るための処理）を表すものである場合に設定され，その注釈処理に対応する専門分野に関係する専門用語の集合が設定される専門用語情報ｄ５３と，前記処理名情報ｄ５１に対応するデータ処理サービスを実行する前記処理サーバ５の宛先情報ｄ５４とが関連づけられて登録（記憶）されている。
さらに，図６には図示していないが，前記処理検索テーブルｄ５には，前記処理サーバ５に対し，データ処理サービスを要求するための要求情報の書式等の情報も登録（記憶）されている。
前記処理検索テーブルｄ５に登録される情報は，前記処理サーバ５に新たなデータ処理サービス機能が付加（新たなデータ処理サービスプログラムがインストール）された場合に，その処理サーバ５の前記機能登録部５４の処理により，インターネット４を介して前記検索サーバ２に通知され，前記検索サーバ２の前記通信部２２及び前記検索処理部２１によって前記処理検索テーブルｄ５に登録（記憶）される。
前記画像処理装置１の前記処理制御部１７からは，翻訳処理サービスの実行が可能な前記処理サーバ５の宛先を前記検索サーバ２へ問い合わせる場合，その翻訳処理サービスに対応する前記処理名情報ｄ５１が通知される（Ｓ４）。
これに対し，前記検索サーバ２においては，前記検索処理部２１により，前記画像処理装置１から通知された前記処理名情報ｄ５１と一致する情報について前記処理検索テーブルｄ５の検索が行われ，前記通信部２２を通じて，その検索結果が前記画像処理装置１に返信される（Ｓ５）。
ここで，検索対象に該当する情報が存在する場合には，対応する前記宛先情報ｄ５４及び前記機能説明情報ｄ５２が返信され，存在しない場合はその旨が返信される。
【００２５】
一方，前記画像処理装置１では，前記処理決定部１５により，前記通信部１１を通じて受信された前記検索サーバ２の検索結果に基づき，検索対象としてデータ処理サービスが可能な前記処理サーバ５の宛先が存在したか否か（検索結果「あり」or「なし」）が判別される（Ｓ６）。
ここで，検索結果が「なし」と判別された場合は，当該画像処理装置１の処理は後述するステップＳ１１へ移行され，検索結果が「あり」と判別された場合は，その検索結果がサービス選択画面として前記処理表示部１６により表示される（Ｓ７）。
図５は，前記処理表示部１６により表示される前記サービス選択画面の一例を表すものである。
前記処理表示部１６により表示される前記サービス選択画面は，前記処理決定部１５（前記原稿文字列処理決定手段の一例）により決定された前記文字列画像に関する処理内容についての情報を提示して，利用者にその選択をさせる画面である（前記サービス選択手段の一例）。
その際，前記サービス選択画面には，選択項目として前記処理名情報ｄ５１が表示され，所定の操作（図５では，「説明」部分を押す操作）により前記機能説明情報ｄ５２が表示される。
【００２６】
次に，前記画像処理装置１において，前記処理表示部１６が出力した前記サービス選択画面から，翻訳処理サービスを選択する操作がなかった場合は，前記処理サーバ５への翻訳処理サービスの要求は行われずに，当該画像処理装置１の処理がステップＳ１１へ移行される。
一方，翻訳処理サービスを選択する操作（前記文字列画像に関する処理内容の選択操作）があった場合には，前記処理制御部１７（前記文字列データ処理サービス要求手段の一例）により，前記検索サーバ２から得たその翻訳処理サービス（処理内容）を実行可能な前記処理サーバ５の宛先に，前記文字列画像から抽出した文字列情報が前記通信部１１を通じて送信され，その文字列情報を前記言語設定情報ｄ２に設定された言語へ翻訳（変換）するサービス（データ処理サービスの一例）が要求される（Ｓ９）。
これに対し，そのサービス要求の宛先となった前記処理サーバ５では，前記翻訳処理部５１により，前記通信部５３を通じて受信された前記文字列情報の翻訳処理がなされ，さらにその処理結果（サービス結果）が前記通信部５３を通じて前記画像処理装置１に返信される（Ｓ１０）。その処理結果は，前記画像処理装置１の前記処理制御部１７（前記処理結果取得手段の一例）により，前記通信部１１を通じてデータ処理サービスを要求した宛先から受信（取得）され，前記データ記憶部１９に記憶される（不図示）。
【００２７】
次に，前記画像処理装置１において，前記単語解析部１３により，ステップＳ２において前記言語解析部１３により前記原稿画像データから抽出された前記文字列画像から単語を識別する単語解析処理が行われる（Ｓ１１）。
本単語解析処理では，前記単語解析部１４は，前記言語解析部１３により抽出された前記抽出フォント画像と前記照合用フォント画像ｄ１１との照合によって認識された文字の並びから，周知の単語認識処理により，前記データ記憶部１９に予め記憶された単語辞書（不図示）の参照によって単語を抽出して前記データ記憶部１９に記憶させる。その際，前記単語辞書に存在しない単語については，特殊な専門用語であると判断し，前記データ記憶部１９に専門用語情報ｄ４として記憶させる。
さらに，抽出された単語のうち，発生頻度（使用頻度）が高い（例えば，既定数以上）の単語についても，当該原稿の内容が属する専門分野に関する単語である可能性が高いと判断し，前記データ記憶部１９に前記専門用語情報ｄ４として記憶させる。
【００２８】
次に，前記処理決定部１５により，前記専門用語情報ｄ４に単語（専門用語）が含まれるか否かが判別され（Ｓ１２），含まれないと判別された場合は，前記処理サーバ５にさらに要求するデータ処理サービスはないと判断され，当該画像処理装置１の処理が後述するステップＳ２０へ移行される。
一方，前記単語解析部１４（前記単語識別手段の一例）の解析結果（単語識別結果）である前記専門用語情報ｄ４に，単語（専門用語）が含まれる（即ち，前記文字列画像に専門用語の文字列が存在する）と判別された場合には，前記画像処理装置１の前記処理決定部１５（前記原稿文字列処理決定手段の一例）により，その単語（専門用語）の注釈情報（解説情報の一例）を得る注釈処理サービスが，前記文字列画像に関する処理内容として決定され，さらに前記処理制御部１７により，前記検索サーバ２に対し，その注釈処理サービスの実行が可能な前記処理サーバ５の宛先を問い合わせる通知が，前記通信部１１を通じてなされる（Ｓ１３）。その際，前記注釈処理サービスに対応する前記処理名情報ｄ５１が通知されるとともに，前記専門用語情報ｄ４に含まれる単語（専門用語）も前記検索サーバ２に送信される。
【００２９】
一方，前記検索サーバ２では，前記検索処理部２１により，前記画像処理装置１から前記通信部２２を通じて受信された通知に従って前記処理検索テーブルｄ５が参照され，問合せ対象である注釈処理サービスを実行可能な前記処理サーバ５の宛先の検索がなされる（Ｓ１４）。
具体的には，前記検索処理部２１により，前記画像処理装置１から受信した単語（専門用語）と一致する単語が含まれる前記専門用語情報ｄ５３の有無について前記処理検索テーブルｄ５の検索が行われ，前記通信部２２を通じて，その検索結果が前記画像処理装置１に返信される（Ｓ１４）。
前記検索処理部２１によるステップＳ１４の処理は，前記単語解析部１４（単語識別手段）により識別された単語の属する専門分野を判別する処理に相当するものである（前記単語分野判別手段の一例）。
ここで，検索対象に該当する情報が存在する場合には，対応する前記宛先情報ｄ５４及び前記機能説明情報ｄ５２が返信され，存在しない場合はその旨が返信される。
【００３０】
一方，前記画像処理装置１では，前記処理決定部１５により，前記通信部１１を通じて受信された前記検索サーバ２の検索結果に基づき，検索対象としてデータ処理サービスが可能な前記処理サーバ５の宛先が存在したか否か（検索結果「あり」or「なし」）が判別される（Ｓ１５）。
即ち，ステップＳ１１〜Ｓ１４の処理は，前記処理決定部１５（原稿文字列処理決定手段の一例）により，前記検索サーバ２１の前記検索処理部２１（単語分野判別手段の一例）により判別（検索）された専門分野の単語の注釈情報（前記解説情報の一例）を得る注釈処理を，前記文字列画像に関する処理内容として決定する処理である。
同様に，ステップＳ１１〜Ｓ１４の処理は，前記単語解析部１３（単語識別手段の一例）の単語識別結果に基づいて，前記文字列画像に含まれる単語の注釈情報（前記解説情報の一例）を得る注釈処理を，前記文字列画像に関する処理内容として決定する処理であるともいえる。
ここで，検索結果が「なし」と判別された場合は，当該画像処理装置１の処理は後述するステップＳ２０へ移行され，検索結果が「あり」と判別された場合は，その検索結果が，ステップＳ７と同様にサービス選択画面（図５と同様）として前記処理表示部１６により表示される（Ｓ１５）。
【００３１】
次に，前記画像処理装置１において，前記処理表示部１６が出力した前記サービス選択画面から，翻訳処理サービスを選択する操作（前記文字列画像に関する処理内容の選択操作）がなかった場合は，当該画像処理装置１の処理がステップＳ２０へ移行される。一方，選択操作があった場合には，前記処理制御部１７（前記文字列データ処理サービス要求手段の一例）により，前記検索サーバ２から得たその注釈処理サービス（処理内容）を実行可能な前記処理サーバ５の宛先に，前記文字列画像から抽出した文字列情報或いはその一部である前記専門用語情報ｄ４（単語）が，前記通信部１１を通じて送信され，その文字列情報又は単語の注釈情報を得るサービス（データ処理サービスの一例）が要求される（Ｓ１８）。
これに対し，そのサービス要求の宛先となった前記処理サーバ５では，前記注釈処理部５２により，前記通信部５３を通じて受信された前記文字列情報又は前記専門用語情報ｄ４（単語）について前記注釈処理がなされ，さらにその処理結果（サービス結果）が前記通信部５３を通じて前記画像処理装置１に返信される（Ｓ１９）。その処理結果は，前記画像処理装置１の前記処理制御部１７（前記処理結果取得手段の一例）により，前記通信部１１を通じてデータ処理サービスを要求した宛先から受信（取得）され，前記データ記憶部１９に記憶される（不図示）。
【００３２】
次に，前記画像処理装置１において，前記出力部１８（前記画像処理結果出力手段の一例）により，前記処理制御部１７（処理結果取得手段）により取得されたデータ処理サービスの結果が出力される。
ここでは，前記翻訳処理サービスの結果が得られた場合には，前記画像読取部１２によって読み取られた原稿画像データのうち，翻訳処理が施された前記文字列画像の部分を，前記翻訳処理サービスの結果（翻訳後の文字列情報）を画像化したものに置き換えて，記録紙に画像形成出力を行う。
また，前記注釈処理サービスの結果が得られた場合には，前記画像読取部１２によって読み取られた原稿画像データのうち，注釈処理が施された前記文字列画像の部分に既定のマーク（コメ印等）を付加した画像を記録紙に画像形成出力するとともに，その画像の余白部分や別の記録紙等に，前記注釈処理サービスの結果（注釈情報）を画像化したものの画像形成出力を行う。
この他，例えば，ファクシミリ装置やスキャナ装置等の画像処理装置である場合には，原稿から読み取った原稿画像データと共に，或いは原稿画像データに変えて，他の画像処理装置や情報処理装置に対して画像データや電子メールデータとして送信（出力）すること等も考えられる。
【００３３】
以上示した実施形態では，前記画像処理装置１と通信可能な情報処理装置である前記検索サーバ２によって前記処理サーバの宛先を検索するシステムについて示したが，これに限るものでなく，例えば，前記検索処理部２１が設けられた前記画像処理装置１とする構成も考えられる。
また，前記画像処理装置１に設けられた前記言語解析部１３，前記単語解析部１４，前記処理決定部１５及び前記処理制御部１７のうちの１又は複数の機能を，複数の前記画像処理装置１と通信可能な情報処理装置（例えば，前記検索サーバ２等）に設け，それらの処理を共有化するシステム構成も考えられる。この場合，原稿画像データを，画像処理装置からその共有される情報処理装置に送信して処理することになる。
また，前述した前記処理サーバ５は，与えられた前記文字列情報（文字コード列）について翻訳処理サービス，或いは注釈処理サービスを行うものであったが，例えば，前記原稿画像データ全体や，そこに含まれる文字列画像の部分を前記画像処理装置１から取得（受信）し，その画像データから文字列情報を抽出した上で，前記翻訳処理サービスや前記注釈処理サービスを行うものであってもよい。この場合，前記画像処理装置１は，前記原稿画像データの全部又は一部を，前記処理サーバ５に送信してデータ処理サービスを要求することになる。
また，画像処理装置，或いは画像処理システムとして実行される処理をコンピュータに実行させるための画像処理プログラム，或いはその画像処理プログラムが記録されたコンピュータ読み取り可能な記録媒体として提供されてもよい。
【産業上の利用可能性】
【００３４】
本発明は，画像処理装置や画像処理システムへの利用が可能である。
【図面の簡単な説明】
【００３５】
【図１】本発明の実施形態に係る画像処理システムＸの概略構成を表すシステム構成図。
【図２】画像処理システムＸ及びこれと通信可能な処理サーバの概略構成を表すブロック図。
【図３】画像処理システムＸにおけるフォントデータテーブルの概略構成例を表す図。
【図４】画像処理システムＸにおける言語特定テーブル（言語解析部の判別結果）の内容を表す図。
【図５】画像処理システムＸにおけるサービス選択画面の一例を表す図。
【図６】画像処理システムＸにおける検索サーバに記憶される処理検索テーブルのデータ構成の一例を表す図。
【図７】画像処理システムＸの処理の手順を表すフローチャート。
【符号の説明】
【００３６】
Ｘ…画像処理システム
１…画像処理装置
２…検索サーバ（情報処理装置）
３…ＬＡＮ
４…インターネット
５…処理サーバ（データ処理サービス装置）
１１，２２，５３…通信部
１２…画像読取部
１３…言語解析部（原稿言語判別手段）
１４…単語解析部（単語識別手段）
１５…処理決定部（原稿文字列処理決定手段）
１６…処理表示部
１７…処理制御部（文字列データ処理サービス要求手段）
１８…出力部（画像処理結果出力手段）
１９，２３，５５…データ記憶部
Ｓ１，Ｓ２，，，…処理手順（ステップ）
【図１】
2005332062.tif 000003
【図２】
2005332062.tif 000004
【図３】
2005332062.tif 000005
【図４】
2005332062.tif 000006
【図５】
2005332062.tif 000007
【図６】
2005332062.tif 000008
【図７】
2005332062.tif 000009